(57)【要約】      （修正有）【課題】特別な道具や力を要することなく楽に開閉が可能なガードを提供する。【解決手段】このガード８０は、機器の縦置き時には回転錘４０がガード８０のスライド範囲を制限する。これにより、機器が縦置きの状態ではロックは解除できず、ガード本体部３０を開閉することはできない。これにより、安全性の向上を図ることができる。また、このガード８０は機器を横倒しにすることで回転錘４０が回転しガード８０のスライド範囲をロック解除位置まで拡げる。そして、ガード８０を機器の縦方向にスライドさせることでロックが解除され、ガード本体部３０の開閉が可能となる。これにより、特別な道具や力を要することなく女性でも楽にロックの解除を行う事ができる。【選択図】図３
2019148355.tif 000002
【特許請求の範囲】
【請求項１】
縦置き型の機器の前面開口部に開閉可能に設置されるガードであって、
ガード本体部と、
前記前面開口部の左右上部に設けられ縦方向に所定の長さを有する軸受孔と、
前記ガード本体部の左右上部に設けられ前記軸受孔に回動及びスライド可能に挿入する回動軸と、
前記前面開口部の底部に設けられた縦穴と、
前記ガード本体部の下部から突出して設けられ、前記ガードのスライド移動により前記縦穴に抜き差しされるロックピンと、
前記回動軸に回転可能に設置された回転錘と、
前記回転錘を構成し一方に突出した突起部と、
前記回転錘を構成し前記突起部を重力の作用によって上方に向ける錘部と、
前記機器に設けられ前記回転錘に当接して前記ガードのスライド移動の範囲を制限する当接面と、を有し、
前記機器が縦置きされたときには前記突起部が前記当接面の方向を向き、前記ガードをスライド移動させたときに前記突起部の上部が前記当接面と当接してスライド移動の範囲を前記ロックピンが前記縦穴から抜けない範囲に制限し、
前記機器が横に倒されたときには前記回転錘の側方が前記当接面の方向を向き、前記ガードをスライド移動させたときに前記回転錘の側方が前記当接面の方向を向いたまま前記当接面と当接してスライド移動の範囲を前記ロックピンが前記縦穴から抜ける範囲とし、前記ガード本体部の開閉を可能とすることを特徴とするガード。
【請求項２】
機器が横に倒されたときに、錘部が機器の底部側に傾いた状態で当接面と当接することを特徴とする請求項１記載のガード。
【発明の詳細な説明】
【技術分野】
【０００１】
本発明は、主に暖房器具のガードに関するものである。
【背景技術】
【０００２】
前方を面状に加熱するパネル型の暖房器具が一般的に広く用いられている。このような暖房器具ではユーザの火傷を防ぐため前面の開口を柵状もしくは網状のガードで保護し、ユーザの手指等が開口奥の発熱体に接触することを防止している。ただし、これらガードは開口内部や発熱体を掃除可能とするため、ビスや係合爪等により開閉もしくは取り外しが可能なように構成されている。例えば、下記［特許文献１］ではガードをガード本体部の弾性を用いて着脱可能に設置した電気ストーブに関する発明が開示されている。
【先行技術文献】
【特許文献】
【０００３】
【特許文献１】特開平７−３０５８５７号公報
【発明の概要】
【発明が解決しようとする課題】
【０００４】
しかしながら、ガードをビスで固定している場合には取り外しの際にドライバを要し、特に女性には抵抗感を覚える場合がある。また、［特許文献１］に記載の発明のようにガードをガード本体部の弾性により固定している場合には、ガード本体部を撓ませる必要があり、ある程度の力を要する。また、特に女性にはガードを撓ませることに恐怖感を覚える場合がある。
【０００５】
本発明は上記事情に鑑みてなされたものであり、特別な道具や力を要することなく楽に開閉が可能なガードの提供を目的とする。
【課題を解決するための手段】
【０００６】
本発明は、
（１）縦置き型の機器１０の前面開口部１２に開閉可能に設置されるガードであって、
ガード本体部３０と、
前記前面開口部１２の左右上部に設けられ縦方向に所定の長さを有する軸受孔１６と、
前記ガード本体部３０の左右上部に設けられ前記軸受孔１６に回動及びスライド可能に挿入する回動軸３２と、
前記前面開口部１２の底部１２ａに設けられた縦穴１８と、
前記ガード本体部３０の下部から突出して設けられ、前記ガードのスライド移動により前記縦穴１８に抜き差しされるロックピン３４と、
前記回動軸３２に回転可能に設置された回転錘４０と、
前記回転錘４０を構成し一方に突出した突起部４２と、
前記回転錘４０を構成し前記突起部４２を重力の作用によって上方に向ける錘部４６と、
前記機器１０に設けられ前記回転錘４０に当接して前記ガードのスライド移動の範囲を制限する当接面１４と、を有し、
前記機器１０が縦置きされたときには前記突起部４２が前記当接面１４の方向を向き、前記ガードをスライド移動させたときに前記突起部４２の上部が前記当接面１４と当接してスライド移動の範囲を前記ロックピン３４が前記縦穴１８から抜けない範囲に制限し、
前記機器１０が横に倒されたときには前記回転錘４０の側方が前記当接面１４の方向を向き、前記ガードをスライド移動させたときに前記回転錘４０の側方が前記当接面１４の方向を向いたまま前記当接面１４と当接してスライド移動の範囲を前記ロックピン３４が前記縦穴１８から抜ける範囲とし、前記ガード本体部３０の開閉を可能とすることを特徴とするガード８０を提供することにより、上記課題を解決する。
（２）機器１０が横に倒されたときに、錘部４６が機器１０の底部１２ａ側に傾いた状態で当接面１４と当接することを特徴とする上記（１）記載のガード８０を提供することにより、上記課題を解決する。
【発明の効果】
【０００７】
本発明に係るガードは、機器を横倒しにすることで回転錘が回転しガードの開閉動作に対するロックが解除可能となる。これにより、特別な道具や力を要することなく楽にロックの解除を行う事かできる。
【図面の簡単な説明】
【０００８】
【図１】本発明に係るガードを備えた機器の正面図及び側面図である。
【図２】本発明に係るガードを備えた機器の斜視図である。
【図３】本発明に係るガードの正面図及び側面図である。
【図４】本発明に係るガードの回転錘を示す図である。
【図５】機器が縦置きのときの回転錘及びロックピン部分の拡大図である。
【図６】機器が横置きのときの回転錘及びロックピン部分の拡大図である。
【図７】機器が縦置きのときの回転錘及びロックピン部分の拡大図である。
【図８】機器が横置きのときの回転錘及びロックピン部分の拡大図である。
【発明を実施するための形態】
【０００９】
本発明に係るガード８０の実施の形態について図面に基づいて説明する。ここで、図１（ａ）は本発明に係るガード８０を備えた機器１０を示す正面図であり、図１（ｂ）は側面図であり、図２は斜視図である。また、図３（ａ）はガード８０の正面図であり、図３（ｂ）は側面図である。尚、図２では機器１０が縦置き状態でガード８０が開いた状態を図示しているが、本発明に係るガード８０は機器１０を一旦横置きにしてロックピン３４を解除しない限り、開状態とはならない。
【００１０】
本発明に係るガード８０は、前面開口部１２を備えた例えばパネルヒータや電気ストーブ、パネル型空気清浄器等の縦置き型の機器１０に用いるものであり、前面開口部１２に開閉可能に設置され、前面開口部１２を覆って前面開口部１２内への手指等の進入を阻止するものである。尚、本発明を適用する機器１０に関しては特に限定はなく、ガードを必要とする全ての機器１０に適用が可能である。ただし、本発明に係るガード８０はロックの解除のために機器１０を一旦横倒しにする必要がある。よって、本発明は板状の機器１０に特に好適である。尚、ここでは機器１０として赤外線パネルヒータを例に説明を行う。
【００１１】
先ず、赤外線パネルヒータとしての機器１０は、本体部が所定の厚みを有する板状に形成され、下部にキャスタ２２を備えた脚部２４を有している。そして、機器１０は脚部２４によって本体部の正面が前方となるように縦方向に立てて保持される。また、本体部は前面と上面が開口した前面開口部１２を有しており、この前面開口部１２の奥面には電力によって発熱し遠赤外線を放射する面状のヒータパネル２０が設置されている。また、前面開口部１２の横には、例えば機器１０のオン・オフ及び設定温度の強弱を切り替えるスイッチ２６と、パイロットランプ２８と、を有している。そして、機器１０の前面開口部１２には本発明に係るガード８０が設置され、ユーザの手指がヒータパネル２０に触れることを防止する。
【００１２】
また、本発明に係るガード８０は、例えば縦柵３０ａと横柵３０ｂとで構成されたガード本体部３０と、ガード本体部３０の上部左右に設けられた回動軸３２と、ガード本体部３０の下部から突出して設けられたロックピン３４と、回動軸３２に回転可能に設置された回転錘４０と、を有している。尚、ガード本体部３０は柵状に限定されるものではなく、網状やパンチングメッシュで構成しても良い。また、ガード本体部３０を柵状で構成する場合には、本例で示すように特定の位置の縦柵３０ａの下方を延長してロックピン３４とすることが好ましい。また、回動軸３２は本例で示すように横柵３０ｂと別に設けても良いし、上方の横柵３０ｂの一つを左右に延長して回動軸３２としても良い。
【００１３】
また、本発明を構成する回転錘４０は、図４に示すように、回動軸３２が可動な状態で挿入する回転錘軸孔４４と、一方に突出した突起部４２と、回転錘軸孔４４を挟んで突起部４２とは逆側に位置する錘部４６と、突起部４２と錘部４６とを繋ぐ側部４８と、を有している。そして、通常状態において回転錘４０は重力の作用により錘部４６が常に鉛直方向の下方に位置し、これにより突起部４２は常に鉛直方向上を向いて位置する。
【００１４】
また、前面開口部１２の左右上部には、図５、図６に示すように、縦方向（機器１０の縦置き時の上下方向）に所定の長さを有する軸受孔１６が設けられ、この軸受孔１６に回動軸３２が回動及びスライド可能に挿入する。そして、ガード本体部３０は回動軸３２を軸に回動し前面開口部１２に対する開閉動作を行う。また、回動軸３２が軸受孔１６に沿ってスライド移動することで、ガード８０は機器１０の縦方向へのスライド移動が可能となる。尚、軸受孔１６の形状は回動軸３２が機器１０の縦方向にスライド移動して後述のロックピン３４が縦穴１８から抜き差し可能であれば特に限定はなく、例えば図７、図８に示すように斜めに形成しても良いし、段状や弧状に形成しても良い。
【００１５】
また、前面開口部１２の底部１２ａには縦穴１８が設けられ、この縦穴１８にはガード本体部３０のロックピン３４が挿入する。そして、このロックピン３４はガード８０の縦方向のスライド移動によって縦穴１８から抜き差しされ、ロックピン３４が縦穴１８に挿入された状態ではガード本体部３０はロックされ回動（開閉）不能となる。また、ロックピン３４が縦穴１８から抜けた状態ではロックは解除されガード本体部３０は回動（開閉）可能となる。
【００１６】
また、機器１０の前面開口部１２の側方の上部には回転錘４０が当接する当接面１４が設けられる。尚、本例では当接面１４として機器１０の外装カバーの内面を用いているが、特にこの構成に限定されるわけではなく、当接面１４を別の部材で構成して設置しても良い。
【００１７】
次に、本発明に係るガード８０の動作等に関して説明する。先ず、本発明を適用する機器１０は基本的に縦置きで使用する。そして、機器１０が縦置きの状態では、図５（ａ）、図７（ａ）に示すように、ガード８０は重力の作用により回動軸３２のスライド範囲の最下点に位置する。このときロックピン３４は前面開口部１２の縦穴１８に挿入した状態にある。ここで、ガード８０が最下点位置にあるときのロックピン３４の縦穴１８への没入長さをＬ３とする。また、このとき回転錘４０は重力の作用により錘部４６が鉛直方向の下方に位置し、これにより突起部４２は鉛直方向上向き、即ち上方にある当接面１４の方向を向いて位置する。尚、ここで回動軸３２の中心から突起部４２の先端までの距離をＬ１とし、突起部４２の先端から当接面１４までの距離をＬ２とする。
【００１８】
次に、機器１０を縦置きにした状態でガード８０を上方にスライド移動させる。これにより、回動軸３２が軸受孔１６に沿って上方向にスライド移動する。このとき、突起部４２は当接面１４の方向を向いているから、図５（ｂ）、図７（ｂ）に示すように、このスライド移動により突起部４２の上部（上端部もしくは頂点部分）が当接面１４に当接し、これ以上の移動が阻止される。そして、このときのスライド移動量は距離Ｌ２と同等となる。また、ロックピン３４は没入長さＬ３が距離Ｌ２よりも長くなるように構成する。よって、機器１０が縦置きにされた状態ではロックピン３４は縦穴１８内に位置してロック状態が継続し、ガード本体部３０は回動（開閉）することができない。
【００１９】
次に、機器１０を横置きにする。これにより、回転錘４０は図６（ａ）、図８（ａ）に示すように、重力の作用により錘部４６が鉛直方向の下方に位置するように回転し、これにより突起部４２は鉛直方向上（機器１０の正面方向）を向いて位置する。よって、機器１０が横置きの場合には、回転錘４０の側方が当接面１４の方向に位置する。
【００２０】
次に、この状態でガード８０を機器１０の縦方向（図中の右方向）にスライド移動させる。これにより、回動軸３２が軸受孔１６に沿って機器１０の縦方向にスライド移動する。これにより、回転錘４０は、図６（ｂ）、図８（ｂ）に示すように、側方が当接面１４の側を向いたまま当接面１４に当接し移動範囲の最上点位置（ロック解除位置）で停止する。このときの回動軸３２の中心から当接面１４までの距離Ｌ５は、突起部４２の長さＬ１よりも所定の寸法、短くなるよう設計する。よって、横置き状態におけるガード８０の移動範囲は距離Ｌ２よりも長い距離Ｌ４となる。そして、この距離Ｌ４はロックピン３４の没入長さＬ３よりも大きくなるよう構成する。即ち、ロックピン３４の没入長さＬ３は  Ｌ２＜Ｌ３＜Ｌ４  を満たすよう構成する。よって、この状態ではロックピン３４は縦穴１８内から抜かれてロック状態が解除される。これにより、ガード本体部３０は回動（開閉）可能な状態となる。そして、ユーザは適宜ガード本体部３０を回動軸３２を軸に回動して開状態とし、前面開口部１２及びヒータパネル２０の清掃等を行う。
【００２１】
尚、移動範囲の最上点位置での回転錘４０の当接状態に関しては特に限定はないが、図６（ｂ）、図８（ｂ）に図示するように錘部４６が底部１２ａ側に若干傾いた状態で当接することが好ましい。この構成によれば、ガード８０を最上点位置にするために錘部４６を重力に逆らって若干回転させることが必要となり、ユーザはこのとき感じる負荷でガード８０がロック解除位置に近づいていることを認識することができる。また、この構成では錘部４６の回転による復元力が生じ、あたかも弾性体のように機能する。よって、最上点位置のみでロックピン３４が抜けるよう各部の寸法を最適化することで、特に図５、図６の構成ではロックの解除にユーザによる押圧動作が必要となり、ユーザの意図に反したロックの解除を防止することができる。さらに、軸受孔１６を斜めに形成した図７、図８の構成では、機器１０を横置きにした場合でも回転錘４０が重力の作用によって軸受孔１６の最下点位置に留まるため、ロック解除のためにはユーザによるスライド動作が必須となり、ユーザの意図に反したロックの解除をさらに防止することができる。
【００２２】
次に、開状態のガード本体部３０を閉状態でロックするためには、ロック解除時と同様に機器１０を横置きにし、ガード８０を機器１０の縦方向にスライド移動させる。これにより、ロックピン３４が前面開口部１２内に進入可能となる。次に、ロックピン３４を縦穴１８に挿入する。これにより、ガード本体部３０の開閉方向はロックする。
【００２３】
次に、ユーザは機器１０を縦置きとする。これにより、回転錘４０は突起部４２が上を向く方向に回転する。これにより、突起部４２は当接面１４の方向を向き、ガード８０のスライド移動範囲はロックピン３４が縦穴１８から抜けない距離Ｌ２に制限される。これにより、機器１０が縦置きの状態ではロックを解除することは出来ず、ガード本体部３０
の開閉は不可となる。
【００２４】
以上のように、本発明に係るガード８０は、機器１０の縦置き時には回転錘４０がガード８０のスライド範囲を制限する。これにより、機器１０が縦置きの状態ではロックは解除できず、ガード本体部３０を開閉することはできない。これにより、安全性の向上を図ることができる。また、本発明に係るガード８０は機器１０を横倒しにすることで回転錘４０が回転しガード８０のスライド範囲をロック解除位置まで拡げる。そして、ガード８０を機器１０の縦方向にスライドさせることでロックが解除され、ガード本体部３０の開閉が可能となる。これにより、特別な道具や力を要することなく女性でも楽にロックの解除を行う事かできる。
【００２５】
また、機器１０が暖房器具の場合、機器１０が傾くとヒータへの通電を遮断する安全装置が設けられている。そして、本発明に係るガード８０は上記のように横倒しでないとロックの解除を行うことができないため、ガード本体部３０の開閉操作中には上記の安全装置が動作してヒータが通電することはない。これにより、更なる安全性の向上を図ることができる。
【００２６】
尚、本例で示したガード８０、機器１０、回転錘４０等の構成は一例であり、各部の形状、寸法、機構、デザイン等は、本発明の要旨を逸脱しない範囲で変更して実施することが可能である。
【符号の説明】
【００２７】
１０    機器
１２    前面開口部
１２ａ  底部
１４    当接面
１６    軸受孔
１８    縦穴
３０    ガード本体部
３２    回動軸
３４    ロックピン
４０    回転錘
４２    突起部
４６    錘部
８０    ガード
【図１】
2019148355.tif 000003
【図２】
2019148355.tif 000004
【図３】
2019148355.tif 000005
【図４】
2019148355.tif 000006
【図５】
2019148355.tif 000007
【図６】
2019148355.tif 000008
【図７】
2019148355.tif 000009
【図８】
2019148355.tif 000010